(57)【要約】      （修正有）【課題】光ピックアップ及びディスクドライブ装置の薄型化を図る。【解決手段】本体部１１と第１の回路基板１２と第２の回路基板１３とを有する固定ブロック９と、対物レンズを保持しフォーカス方向、トラッキング方向及びチルト方向へ動作される可動ブロックと、固定ブロックと可動ブロックを連結する一対の第１の支持バネ２９、一対の第２の支持バネ３０及び一対の第３の支持バネ３１と、フォーカス用磁気回路と、トラッキング用磁気回路と、チルト用磁気回路とを設け、第１の回路基板と第２の回路基板をタンジェンシャル方向に離隔して配置し、第１の回路基板の第２用バネ接合部２０の一部と第２の回路基板の第１用バネ接合部２２及び第３用バネ接合部２３の各一部とをタンジェンシャル方向においてオーバーラップさせるようにした。【選択図】図６
2009099210.tif 000002
【特許請求の範囲】
【請求項１】
ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対してレーザー光を照射する光ピックアップであって、
上記対物レンズ駆動装置は、
上記移動ベースに固定され本体部と該本体部に取り付けられた第１の回路基板と本体部に取り付けられた第２の回路基板とを有する固定ブロックと、
上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交するタンジェンシャル方向に延びる軸の軸回り方向であるチルト方向へ動作される可動ブロックと、
上記固定ブロックと上記可動ブロックを連結し上記フォーカス方向に離隔して順に配置された一対の第１の支持バネ、一対の第２の支持バネ及び一対の第３の支持バネと、
上記可動ブロックを上記フォーカス方向へ動作させフォーカス用コイルとフォーカス用マグネットを有するフォーカス用磁気回路と、
上記可動ブロックを上記トラッキング方向へ動作させトラッキング用コイルとトラッキング用マグネットを有するトラッキング用磁気回路と、
上記可動ブロックを上記チルト方向へ動作させチルト用コイルとチルト用マグネットを有するチルト用磁気回路とを備え、
上記第１の回路基板と上記第２の回路基板を上記タンジェンシャル方向に離隔して配置し、
上記第１の回路基板に上記第２の支持バネが接合材によって接合される第２用バネ接合部を設け、
上記第２の回路基板に上記第１の支持バネと第３の支持バネがそれぞれ接合材によって接合される第１用バネ接合部と第３用バネ接合部を設け、
上記第１の回路基板の第２用バネ接合部の一部と上記第２の回路基板の第１用バネ接合部及び第３用バネ接合部の各一部とを上記タンジェンシャル方向においてオーバーラップさせるようにした
ことを特徴とする光ピックアップ。
【請求項２】
上記第２の回路基板の上記第１用バネ接合部と上記第３用バネ接合部の間に切欠を形成した
ことを特徴とする請求項１に記載の光ピックアップ。
【請求項３】
上記第１の回路基板の上記第２の回路基板に対向する面と反対側の面に上記接合材を塗布して上記第２の支持バネを接合し、
上記第２の回路基板の上記第１の回路基板に対向する面と反対側の面に上記接合材を塗布して上記第１の支持バネと上記第３の支持バネを接合した
ことを特徴とする請求項１に記載の光ピックアップ。
【請求項４】
上記固定ブロックの上記本体部と上記第１の回路基板の間及び上記本体部と上記第２の回路基板の間にそれぞれ振動を吸収するダンパーとして機能するゲル材料を充填した
ことを特徴とする請求項１に記載の光ピックアップ。
【請求項５】
ディスク状記録媒体が装着されるディスクテーブルと該ディスクテーブルに装着される上記ディスク状記録媒体に対して対物レンズを介してレーザー光を照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、
上記対物レンズ駆動装置は、
上記移動ベースに固定され本体部と該本体部に取り付けられた第１の回路基板と本体部に取り付けられた第２の回路基板とを有する固定ブロックと、
上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交するタンジェンシャル方向に延びる軸の軸回り方向であるチルト方向へ動作される可動ブロックと、
上記固定ブロックと上記可動ブロックを連結し上記フォーカス方向に離隔して順に配置された一対の第１の支持バネ、一対の第２の支持バネ及び一対の第３の支持バネと、
上記可動ブロックを上記フォーカス方向へ動作させフォーカス用コイルとフォーカス用マグネットを有するフォーカス用磁気回路と、
上記可動ブロックを上記トラッキング方向へ動作させトラッキング用コイルとトラッキング用マグネットを有するトラッキング用磁気回路と、
上記可動ブロックを上記チルト方向へ動作させチルト用コイルとチルト用マグネットを有するチルト用磁気回路とを備え、
上記第１の回路基板と上記第２の回路基板を上記タンジェンシャル方向に離隔して配置し、
上記第１の回路基板に上記第２の支持バネが接合材によって接合される第２用バネ接合部を設け、
上記第２の回路基板に上記第１の支持バネと第３の支持バネがそれぞれ接合材によって接合される第１用バネ接合部と第３用バネ接合部を設け、
上記第１の回路基板の第２用バネ接合部の一部と上記第２の回路基板の第１用バネ接合部及び第３用バネ接合部の各一部とを上記タンジェンシャル方向においてオーバーラップさせるようにした
ことを特徴とするディスクドライブ装置。
【発明の詳細な説明】
【技術分野】
【０００１】
本発明は光ピックアップ及びディスクドライブ装置に関する。詳しくは、異なる支持バネがそれぞれ接合される第１の回路基板と第２の回路基板をタンジェンシャル方向に離隔して配置し薄型化を図る技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置は、固定ブロックと該固定ブロックに金属製のワイヤー等の複数の支持バネを介して支持された可動ブロックとを備えている。
【０００４】
光ピックアップにあっては、対物レンズを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
また、光ピックアップには、フォーカス方向及びトラッキング方向にともに直交する方向であるタンジェンシャル方向に延びる軸の軸回り方向へ可動ブロックを固定ブロックに対して動作させ、対物レンズを介してディスク状記録媒体の記録面に照射されるレーザー光の光軸が記録面に対して垂直となるようにチルト調整を行うことができるようにされたものがある（例えば、特許文献１参照）。
【０００６】
このような光ピックアップに設けられた対物レンズ駆動装置には、可動ブロックをフォーカス方向へ動作させるためのフォーカス用磁気回路、可動ブロックをトラッキング方向へ動作させるためのトラッキング用磁気回路及び可動ブロックをチルト方向へ動作させるためのチルト用磁気回路が設けられており、これらの各磁気回路がそれぞれコイルとマグネットを有している。
【０００７】
可動ブロックを支持する支持バネはこれらの磁気回路に対応して三対が設けられ、一対の第１の支持バネを介してフォーカス用磁気回路のフォーカス用コイルに給電が行われ、一対の第２の支持バネを介してトラッキング用磁気回路のトラッキング用コイルに給電が行われ、一対の第３の支持バネを介してチルト用磁気回路のチルト用コイルに給電が行われる。
【０００８】
このような対物レンズ駆動装置にあっては、上記した三対の支持バネがフォーカス方向に離隔して配置されている。三対の支持バネは各両端部がそれぞれ可動ブロックに設けられた回路基板と固定ブロックに設けられた回路基板とにそれぞれ接合材、例えば、半田によって接合されている。
【０００９】
【特許文献１】特開２００４−４７０６０号公報
【発明の開示】
【発明が解決しようとする課題】
【００１０】
ところが、上記した従来の対物レンズ駆動装置にあっては、三対の支持バネの各一端部が同一の回路基板に接合され、これらの三対の支持バネを回路基板に接合するための半田が一定の大きさ（径）を有するため、三対の支持バネのフォーカス方向における間隔を隣接する半田同士が接触しない大きさにしなければならず、その分、支持バネ間の間隔が大きく薄型化に支障を来たすと言う問題がある。
【００１１】
そこで、本発明光ピックアップ及びディスクドライブ装置は、上記した問題点を克服し、薄型化を図ることを課題とする。
【課題を解決するための手段】
【００１２】
光ピックアップ及びディスクドライブ装置は、上記した課題を解決するために、対物レンズ駆動装置に、移動ベースに固定され本体部と該本体部に取り付けられた第１の回路基板と本体部に取り付けられた第２の回路基板とを有する固定ブロックと、対物レンズと該対物レンズを保持するレンズホルダーとを有すると共に固定ブロックに対してディスク状記録媒体の記録面に離接する方向であるフォーカス方向、ディスク状記録媒体の略半径方向であるトラッキング方向及びフォーカス方向とトラッキング方向にともに直交するタンジェンシャル方向に延びる軸の軸回り方向であるチルト方向へ動作される可動ブロックと、固定ブロックと可動ブロックを連結しフォーカス方向に離隔して順に配置された一対の第１の支持バネ、一対の第２の支持バネ及び一対の第３の支持バネと、可動ブロックをフォーカス方向へ動作させフォーカス用コイルとフォーカス用マグネットを有するフォーカス用磁気回路と、可動ブロックをトラッキング方向へ動作させトラッキング用コイルとトラッキング用マグネットを有するトラッキング用磁気回路と、可動ブロックをチルト方向へ動作させチルト用コイルとチルト用マグネットを有するチルト用磁気回路とを設け、第１の回路基板と第２の回路基板をタンジェンシャル方向に離隔して配置し、第１の回路基板に第２の支持バネが接合材によって接合される第２用バネ接合部を設け、第２の回路基板に第１の支持バネと第３の支持バネがそれぞれ接合材によって接合される第１用バネ接合部と第３用バネ接合部を設け、第１の回路基板の第２用バネ接合部の一部と第２の回路基板の第１用バネ接合部及び第３用バネ接合部の各一部とをタンジェンシャル方向においてオーバーラップさせるようにしたものである。
【００１３】
従って、光ピックアップ及びディスクドライブ装置にあっては、第１の支持バネ及び第３の支持バネを接合するための接合材と第２の支持バネを接合するための接合材とがタンジェンシャル方向に離隔して位置される。
【発明の効果】
【００１４】
本発明光ピックアップは、ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対してレーザー光を照射する光ピックアップであって、上記対物レンズ駆動装置は、上記移動ベースに固定され本体部と該本体部に取り付けられた第１の回路基板と本体部に取り付けられた第２の回路基板とを有する固定ブロックと、上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交するタンジェンシャル方向に延びる軸の軸回り方向であるチルト方向へ動作される可動ブロックと、上記固定ブロックと上記可動ブロックを連結し上記フォーカス方向に離隔して順に配置された一対の第１の支持バネ、一対の第２の支持バネ及び一対の第３の支持バネと、上記可動ブロックを上記フォーカス方向へ動作させフォーカス用コイルとフォーカス用マグネットを有するフォーカス用磁気回路と、上記可動ブロックを上記トラッキング方向へ動作させトラッキング用コイルとトラッキング用マグネットを有するトラッキング用磁気回路と、上記可動ブロックを上記チルト方向へ動作させチルト用コイルとチルト用マグネットを有するチルト用磁気回路とを備え、上記第１の回路基板と上記第２の回路基板を上記タンジェンシャル方向に離隔して配置し、上記第１の回路基板に上記第２の支持バネが接合材によって接合される第２用バネ接合部を設け、上記第２の回路基板に上記第１の支持バネと第３の支持バネがそれぞれ接合材によって接合される第１用バネ接合部と第３用バネ接合部を設け、上記第１の回路基板の第２用バネ接合部の一部と上記第２の回路基板の第１用バネ接合部及び第３用バネ接合部の各一部とを上記タンジェンシャル方向においてオーバーラップさせるようにした。
【００１５】
従って、第１の支持バネと第２の支持バネのフォーカス方向における間隔及び第２の支持バネと第３の支持バネのフォーカス方向における間隔を小さくすることができ、その分、薄型化を図ることができる。
【００１６】
請求項２に記載した発明にあっては、上記第２の回路基板の上記第１用バネ接合部と上記第３用バネ接合部の間に切欠を形成したので、第１の支持バネと第３の支持バネを接合するための接合材の接触を防止することができる。
【００１７】
請求項３に記載した発明にあっては、上記第１の回路基板の上記第２の回路基板に対向する面と反対側の面に上記接合材を塗布して上記第２の支持バネを接合し、上記第２の回路基板の上記第１の回路基板に対向する面と反対側の面に上記接合材を塗布して上記第１の支持バネと上記第３の支持バネを接合したので、接合材が第１の回路基板と第２の回路基板の対向する面に存在しないため、その分、第１の回路基板と第２の回路基板をタンジェンシャル方向に近付けて配置することができ、小型化を図ることができる。
【００１８】
請求項４に記載した発明にあっては、上記固定ブロックの上記本体部と上記第１の回路基板の間及び上記本体部と上記第２の回路基板の間にそれぞれ振動を吸収するダンパーとして機能するゲル材料を充填したので、フォーカス動作やトラッキング動作時における不要な振動がダンパーによって吸収され、ゲインピークの乱れを防止して良好なサーボ特性を確保することができる。
【００１９】
本発明ディスクドライブ装置は、ディスク状記録媒体が装着されるディスクテーブルと該ディスクテーブルに装着される上記ディスク状記録媒体に対して対物レンズを介してレーザー光を照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、上記対物レンズ駆動装置は、上記移動ベースに固定され本体部と該本体部に取り付けられた第１の回路基板と本体部に取り付けられた第２の回路基板とを有する固定ブロックと、上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交するタンジェンシャル方向に延びる軸の軸回り方向であるチルト方向へ動作される可動ブロックと、上記固定ブロックと上記可動ブロックを連結し上記フォーカス方向に離隔して順に配置された一対の第１の支持バネ、一対の第２の支持バネ及び一対の第３の支持バネと、上記可動ブロックを上記フォーカス方向へ動作させフォーカス用コイルとフォーカス用マグネットを有するフォーカス用磁気回路と、上記可動ブロックを上記トラッキング方向へ動作させトラッキング用コイルとトラッキング用マグネットを有するトラッキング用磁気回路と、上記可動ブロックを上記チルト方向へ動作させチルト用コイルとチルト用マグネットを有するチルト用磁気回路とを備え、上記第１の回路基板と上記第２の回路基板を上記タンジェンシャル方向に離隔して配置し、上記第１の回路基板に上記第２の支持バネが接合材によって接合される第２用バネ接合部を設け、上記第２の回路基板に上記第１の支持バネと第３の支持バネがそれぞれ接合材によって接合される第１用バネ接合部と第３用バネ接合部を設け、上記第１の回路基板の第２用バネ接合部の一部と上記第２の回路基板の第１用バネ接合部及び第３用バネ接合部の各一部とを上記タンジェンシャル方向においてオーバーラップさせるようにした。
【００２０】
従って、第１の支持バネと第２の支持バネのフォーカス方向における間隔及び第２の支持バネと第３の支持バネのフォーカス方向における間隔を小さくすることができ、その分、薄型化を図ることができる。
【発明を実施するための最良の形態】
【００２１】
以下に、本発明光ピックアップ及びディスクドライブ装置の最良の形態を添付図面を参照して説明する。
【００２２】
ディスクドライブ装置１は、外筐２内に所要の各部材及び各機構が配置されて成り（図１参照）、外筐２には図示しないディスク挿入口が形成されている。
【００２３】
外筐２内には図示しないシャーシが配置され、該シャーシに取り付けられたスピンドルモーターのモーター軸にディスクテーブル３が固定されている。
【００２４】
シャーシには、平行なガイド軸４、４が取り付けられると共に図示しない送りモーターによって回転されるリードスクリュー５が支持されている。
【００２５】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２６】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向（ラジアル方向）へ移動される。
【００２７】
対物レンズ駆動装置８は固定ブロック９と該固定ブロック９に対して動作される可動ブロック１０とを有し（図２及び図３参照）、移動ベース７に配置されている（図１参照）。
【００２８】
固定ブロック９と可動ブロック１０はディスク状記録媒体１００の記録トラックの接線方向（タンジェンシャル方向）に離隔して配置されている。
【００２９】
固定ブロック９は移動ベース７に固定されている。固定ブロック９は本体部１１に第１の回路基板１２と第２の回路基板１３が取り付けられて構成されている（図４及び図５参照）。
【００３０】
本体部１１は樹脂材料によって形成され略ブロック状に形成された被固定部１４と該被固定部１４の後端部における左右両端部からそれぞれ外方（側方）へ突出された連結部１５、１５、・・・と該連結部１５、１５、・・・の外側の端部からそれぞれ前方へ突出された壁部１６、１６とから成る。
【００３１】
被固定部１４は移動ベース７に固定されている。被固定部１４の後面には後方へ突出された位置決め突部１４ａ、１４ａが左右に離隔して設けられている。被固定部１４の後面の左右方向における中央部には後方へ突出された第１の段部１４ｂと第２の段部１４ｃが設けられている。第２の段部１４ｃは第１の段部１４ｂより外形が一回り小さく形成され、第１の段部１４ｂの外周部を除く部分から後方へ突出されている。
【００３２】
連結部１５、１５、・・・は左右に二つずつが設けられ、上下に離隔して位置されている。従って、左側の上下に位置する連結部１５、１５間と右側の上下に位置する連結部１５、１５間とには、それぞれ前後に貫通された開口１７、１７が形成されている。連結部１５、１５、・・・にはそれぞれ前後に貫通されたバネ挿通孔１５ａ、１５ａ、・・・が形成されている。
【００３３】
壁部１６、１６は被固定部１４の左右両側面からそれぞれ左右に離隔して位置され、壁部１６、１６と被固定部１４の左右両側面との間にはそれぞれ前方に開口された配置空間１８、１８が形成されている。配置空間１８、１８はそれぞれ開口１７、１７と連通されている。
【００３４】
第１の回路基板１２は被取付部１９と該被取付部１９の左右両側縁の上下方向における中央部からそれぞれ外方へ突出された第２用バネ接合部２０、２０とから成る。被取付部１９の中央部には挿入孔１９ａが形成されている。第２用バネ接合部２０、２０にはそれぞれバネ挿通孔２０ａ、２０ａが形成されている。
【００３５】
第１の回路基板１２は挿入孔１９ａに第２の段部１４ｃ及び位置決め突部１４ａ、１４ａが挿入されて本体部１１に対して位置決めされ、被取付部１９が第１の段部１４ｂに取り付けられる。
【００３６】
第２の回路基板１３は被取付部２１と該被取付部２１の左右両側縁の上側の部分からそれぞれ外方へ突出された第１用バネ接合部２２、２２と被取付部２１の左右両側縁の下側の部分からそれぞれ外方へ突出された第３用バネ接合部２３、２３とから成る。被取付部２１には左右に離隔して位置決め孔２１ａ、２１ａが形成されている。第１用バネ接合部２２、２２にはそれぞれバネ挿通孔２２ａ、２２ａが形成され、第３用バネ接合部２３、２３にはそれぞれバネ挿通孔２３ａ、２３ａが形成されている。上下に離隔して位置された第１用バネ接合部２２、２２と第３用バネ接合部２３、２３間の空間は、それぞれ切欠２２ｂ、２２ｂとして形成されている。
【００３７】
第２の回路基板１３における第１用バネ接合部２２の上端と第３用バネ接合部２３の下端との間の距離Ｈ１は、第１の回路基板１２の第２用バネ接合部２０の上下方向における幅Ｈ２より大きくされている（図６参照）。
【００３８】
第２の回路基板１３は位置決め孔２１ａ、２１ａに位置決め突部１４ａ、１４ａがそれぞれ挿入されて本体部１１に対して位置決めされ、被取付部２１が第２の段部１４ｃに取り付けられる。従って、第１の段部１４ｂに取り付けられた第１の回路基板１２と第２の段部１４ｃに取り付けられた第２の回路基板１３は前後方向（タンジェンシャル方向）に離隔して配置され、第２の回路基板１３が第１の回路基板１２より後方に位置される。また、第１用バネ接合部２２、２２と第３用バネ接合部２３、２３の各一部、即ち、第１用バネ接合部２２、２２の下端部と第３用バネ接合部２３、２３の上端部は、それぞれ第２用バネ接合部２０、２０の上端部と下端部の真後ろに位置され第１用バネ接合部２２、２２及び第３用バネ接合部２３、２３の各一部と第２用バネ接合部２０、２０の一部とが前後方向においてオーバーラップした状態（図６にオーバーラップした部分をＲ、Ｒで示す。）とされている。
【００３９】
可動ブロック１０はレンズホルダー２４に所要の各部が取り付けられて成る（図３及び図４参照）。
【００４０】
レンズホルダー２４の上面には、対物レンズ２５、２５が取り付けられて保持されている。対物レンズ２５、２５は種類の異なるディスク状記録媒体１００、例えば、レーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるブルーレイディスク（Blu-ray Disc）等に対応して設けられている。
【００４１】
レンズホルダー２４の後面にはフォーカス用コイル２６とトラッキング用コイル２７、２７が取り付けられている。トラッキング用コイル２７、２７はフォーカス用コイル２６を挟んだ左右両側にそれぞれ配置されている。レンズホルダー２４には図示しない一対のチルト用コイルが取り付けられている。
【００４２】
レンズホルダー２４の後面における左右両端部にはそれぞれ接続基板２８、２８が取り付けられている。接続基板２８、２８の接続端子にはそれぞれフォーカス用コイル２６、トラッキング用コイル２７、２７及びチルト用コイルの各端部が接続されている。接続基板２８、２８にはそれぞれ各一対の第１の支持バネ２９、２９、第２の支持バネ３０、３０及び第３の支持バネ３１、３１の各一端部が、例えば、半田付けによって接合されている。第１の支持バネ２９、２９、第２の支持バネ３０、３０及び第３の支持バネ３１、３１は上側から順に配置され、導電性金属材料によって、例えば、ワイヤー状に形成されている。
【００４３】
固定ブロック９の本体部１１に取り付けられた第１の回路基板１２又は第２の回路基板１３にはそれぞれ第１の支持バネ２９、２９、第２の支持バネ３０、３０及び第３の支持バネ３１、３１の各他端部が接続されている（図４及び図５参照）。
【００４４】
第１の回路基板１２の第２用バネ接合部２０、２０にはそれぞれ第２の支持バネ３０、３０の各他端部が半田付けによって接合されている。第２の支持バネ３０、３０の各他端部は、それぞれ第２用バネ接合部２０、２０のバネ挿通孔２０ａ、２０ａを挿通され、第１の回路基板１２の前面１２ａにおいて半田３２、３２によって接合されている。従って、半田３２、３２は第２の支持バネ３０、３０を第２用バネ接合部２０、２０に接合する接合材として機能する。このとき第２の支持バネ３０、３０の各他端寄りの部分は、それぞれ配置空間１８、１８及び開口１７、１７に配置される。
【００４５】
第２の回路基板１３の第１用バネ接合部２２、２２と第３用バネ接合部２３、２３にはそれぞれ第１の支持バネ２９、２９と第３の支持バネ３１、３１の各他端部が半田付けによって接合されている。第１の支持バネ２９、２９及び第３の支持バネ３１、３１の各他端部は、それぞれ第１用バネ接合部２２、２２のバネ挿通孔２２ａ、２２ａと第３用バネ接合部２３、２３のバネ挿通孔２３ａ、２３ａを挿通され、第２の回路基板１３の後面１３ａにおいて半田３３、３３、・・・によって接合されている。従って、半田３３、３３、・・・は第１の支持バネ２９、２９及び第３の支持バネ３１、３１を第２用バネ接合部２２、２２と第３用バネ接合部２３、２３に接合する接合材として機能する。このとき第１の支持バネ２９、２９及び第３の支持バネ３１、３１の各他端寄りの部分は、それぞれ配置空間１８、１８に配置される。
【００４６】
上記のように第１の支持バネ２９、２９、第２の支持バネ３０、３０及び第３の支持バネ３１、３１の各一端部が可動ブロック１０に接合され、第１の支持バネ２９、２９、第２の支持バネ３０、３０及び第３の支持バネ３１、３１の各他端部が固定ブロック９に接合されることにより、可動ブロック１０は第１の支持バネ２９、２９、第２の支持バネ３０、３０及び第３の支持バネ３１、３１によって固定ブロック９と連結されて中空に保持される。
【００４７】
対物レンズ駆動装置８にあっては、図示しない電源回路から第１の回路基板１２又は第２の回路基板１３と第１の支持バネ２９、２９、第２の支持バネ３０、３０又は第３の支持バネ３１、３１と接続基板２８、２８を介してフォーカス用コイル２６、トラッキング用コイル２７、２７又はチルト用コイルに駆動電流が供給される。
【００４８】
移動ベース７の配置凹部７ａには磁性金属材料によって形成されたヨーク部材３４が配置されている（図３及び図４参照）。
【００４９】
ヨーク部材３４は上下方向を向くベース部３４ａと該ベース部３４ａから上方へ突出されたヨーク部３４ｂとを有している。
【００５０】
ヨーク部３４ｂの前面にはフォーカス用マグネット３５及びトラッキング用マグネット３６、３６が取り付けられている。ヨーク部材３４には図示しないチルト用マグネットが取り付けられている。
【００５１】
尚、ヨーク部材３４はベース部３４ａとヨーク部３４ｂが別部品として構成されていてもよい。この場合に、例えば、ベース部３４ａに、固定ブロック９を移動ベース７に固定すると共にヨーク部３４ｂを保持する機能を持たせ、ヨーク部３４ｂに専用のヨークとしての機能を持たせるように構成することが可能である。
【００５２】
フォーカス用マグネット３５はフォーカス用コイル２６に対向して位置され、トラッキング用マグネット３６、３６はそれぞれトラッキング用コイル２７、２７に対向して位置され、チルト用マグネットはそれぞれチルト用コイルに対向して位置される。
【００５３】
尚、対物レンズ駆動装置８にあっては、専用のチルト用マグネットが設けられていない構成であってもよく、例えば、フォーカス用マグネット３５がチルト用マグネットを兼用する構成とすることが可能である。この場合には、チルト用コイルはチルト用マグネットを兼用するフォーカス用マグネット３５に対向して位置される。
【００５４】
フォーカス用コイル２６とフォーカス用マグネット３５とヨーク部材３４によってフォーカス用磁気回路が構成され、トラッキング用コイル２７、２７とトラッキング用マグネット３６、３６とヨーク部材３４によってトラッキング用磁気回路が構成され、チルト用コイルとチルト用マグネットとヨーク部材３４によってチルト用磁気回路が構成される。
【００５５】
図示しない電源回路からフォーカス用コイル２６、トラッキング用コイル２７、２７又はチルト用コイルに駆動電流が供給されると、これらの駆動電流の向きとフォーカス用マグネット３５、トラッキング用マグネット３６、３６又はチルト用マグネットにより発生する磁束の方向とに応じた向きの力が発生し、可動ブロック１０がフォーカス方向、トラッキング方向又はチルト方向へ動作される。
【００５６】
フォーカス方向はディスク状記録媒体１００に離接する方向（図２及び図３に示すＦ方向）、即ち、上下方向であり、トラッキング方向はディスク状記録媒体１００の半径方向（図２及び図３に示すＴＲ方向）、即ち、左右方向であり、チルト方向はフォーカス方向及びトラッキング方向にともに直交する方向（タンジェンシャル方向）に延びる軸の軸回り方向（図２及び図３に示すＴＩ方向）である。
【００５７】
可動ブロック１０がフォーカス方向、トラッキング方向又はチルト方向へ動作されるときには、第１の支持バネ２９、２９、第２の支持バネ３０、３０及び第３の支持バネ３１、３１が弾性変形される。
【００５８】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００５９】
この記録動作及び再生動作において、フォーカス用コイル２６に駆動電流が供給されると、上記したように、対物レンズ駆動装置８の可動ブロック１０が固定ブロック９に対して図２及び図３に示すフォーカス方向Ｆ−Ｆへ動作され、対物レンズ２５、２５を介して照射されるレーザー光のスポットがディスク状記録媒体１００の記録面に集光するようにフォーカス調整が行われる。
【００６０】
また、トラッキング用コイル２７、２７に駆動電流が供給されると、上記したように、対物レンズ駆動装置８の可動ブロック１０が固定ブロック９に対して図２及び図３に示すトラッキング方向ＴＲ−ＴＲへ動作され、対物レンズ２５、２５を介して照射されるレーザー光のスポットがディスク状記録媒体１００の記録トラック上に集光するようにトラッキング調整が行われる。
【００６１】
さらに、チルト用コイルに駆動電流が供給されると、上記したように、対物レンズ駆動装置８の可動ブロック１０が固定ブロック９に対して図２及び図３に示すチルト方向ＴＩ−ＴＩへ動作され、対物レンズ２５、２５を介して照射されるレーザー光の光軸がディスク状記録媒体１００の記録面に垂直となるようにチルト調整が行われる。
【００６２】
以上に記載した通り、対物レンズ駆動装置８にあっては、固定ブロック９に設けられ第２の支持バネ２９、２９が接合された第１の回路基板１２と第１の支持バネ２９、２９及び第３の支持バネ３１、３１が接合された第２の回路基板１３とをタンジェンシャル方向に離隔して配置し、第１の回路基板１２の第２用バネ接合部２０、２０の一部と第２の回路基板１３の第１用バネ接合部２２、２２及び第３用バネ接合部２３、２３の各一部とをタンジェンシャル方向においてオーバーラップさせるようにしたので、第１の支持バネ２９、２９と第２の支持バネ３０、３０のフォーカス方向における間隔及び第２の支持バネ３０、３０と第３の支持バネ３１、３１のフォーカス方向における間隔を小さくすることができ、その分、薄型化を図ることができる。
【００６３】
また、第２の回路基板１３の第１用バネ接合部２２、２２と第３用バネ接合部２３、２３との間にはそれぞれ切欠２２ｂ、２２ｂが形成されているため、第１の支持バネ２９、２９と第３の支持バネ３１、３１を接合するための半田３３、３３、・・・の接触を防止することができる。
【００６４】
さらに、第１の回路基板１２の前面１２ａに半田３２、３２を用いて第２の支持バネ３０、３０を接合し、第２の回路基板１３の後面１３ａに半田３３、３３、・・・を用いて第１の支持バネ２９、２９と第３の支持バネ３１、３１を接合しており、半田３２、３２と半田３３、３３、・・・が第１の回路基板１２と第２の回路基板１３の対向する面に存在しないため、その分、第１の回路基板１２と第２の回路基板１３をタンジェンシャル方向（前後方向）に近付けて配置することができ、対物レンズ駆動装置８の小型化を図ることができる。
【００６５】
加えて、半田３２、３２と半田３３、３３、・・・が第１の回路基板１２と第２の回路基板１３の対向する面に存在しないため、第１用バネ接合部２２、２２及び第３用バネ接合部２３、２３を第２用バネ接合部２０、２０の上下方向における中央側に寄って配置することができ、対物レンズ駆動装置８の薄型化を図ることができる。
【００６６】
尚、上記には、第１の回路基板１２を第２の回路基板１３の前側に配置した例を示したが、逆に、第１の回路基板１２を第２の回路基板１３の後側に配置する構成とすることも可能である。
【００６７】
また、対物レンズ駆動装置８にあっては、第１の回路基板１２と第２の回路基板１３をタンジェンシャル方向に離隔して配置しているが、図７に示すように、本体部１１と第１の回路基板１２、第２の回路基板１３間に、例えば、ゲル材料によって形成されたダンパー３７を充填してもよい。
【００６８】
このようなダンパー３７を用いることにより、フォーカス動作やトラッキング動作時における不要な振動がダンパー３７によって吸収され、ゲインピークの乱れを防止して良好なサーボ特性を確保することができる。
【００６９】
さらに、上記には、第１の支持バネ２９、２９、第２の支持バネ３０、３０及び第３の支持バネ３１、３１を第１の回路基板１２又は第２の回路基板１３に接合する接合材として半田３２、３２、３３、３３、・・・を用いた例を示したが、接合材は半田３２、３２、３３、３３、・・・に限られることはなく、接合材として、例えば、導電性を有する接着剤を用いることも可能である。
【００７０】
また、上記には、チルト用コイルに駆動電流が供給されたときにチルト調整が行われる例を示したが、対物レンズ駆動装置８にあっては、専用のチルト用磁気回路を有さず、チルト用磁気回路がフォーカス用磁気回路又はトラッキング用磁気回路と兼用されている構成とすることも可能である。例えば、フォーカス用磁気回路がチルト用磁気回路と兼用される構成とした場合には、フォーカス用磁気回路に一対のフォーカス用コイルを設けて一方のフォーカス用コイルと他方のフォーカス用コイルに逆方向への駆動電流を供給することにより、可動ブロック１０を固定ブロック９に対して図２及び図３に示すチルト方向ＴＩ−ＴＩへ動作させてチルト調整を行うことが可能である。
【００７１】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００７２】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７３】
【図１】図２乃至図７と共に本発明光ピックアップ及びディスクドライブ装置を実施するための最良の形態を示すものであり、本図はディスクドライブ装置の概略斜視図である。
【図２】対物レンズ駆動装置の拡大斜視図である。
【図３】対物レンズ駆動装置を図２とは別の方向から見た状態で示す拡大斜視図である。
【図４】固定ブロックの拡大分解斜視図である。
【図５】固定ブロックの拡大斜視図である。
【図６】支持バネの接合状態を示す拡大断面図である。
【図７】本体部と第１の回路基板、第２の回路基板との間にダンパーが充填された例を示す拡大断面図である。
【符号の説明】
【００７４】
１…ディスクドライブ装置、３…ディスクテーブル、６…光ピックアップ、７…移動ベース、８…対物レンズ駆動装置、９…固定ブロック、１０…可動ブロック、１１…本体部、１２…第１の回路基板、１３…第２の回路基板、２０…第２用バネ接合部、２２…第１用バネ接合部、２３…第３用バネ接合部、２２ｂ…切欠、２４…レンズホルダー、２５…対物レンズ、２６…フォーカス用コイル、２７…トラッキング用コイル、２９…第１の支持バネ、３０…第２の支持バネ、３１…第３の支持バネ、３２…半田（接合材）、３３…半田（接合材）、３５…フォーカス用マグネット、３６…トラッキング用マグネット、３７…ダンパー、１００…ディスク状記録媒体
【図１】
2009099210.tif 000003
【図２】
2009099210.tif 000004
【図３】
2009099210.tif 000005
【図４】
2009099210.tif 000006
【図５】
2009099210.tif 000007
【図６】
2009099210.tif 000008
【図７】
2009099210.tif 000009